【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】    
【請求項１】
感光体表面を帯電させる帯電工程と、
前記帯電された感光体表面に静電潜像を形成する潜像形成工程と、
現像ユニット中のトナーを含む現像剤を担持する現像剤担持体と前記静電潜像を担持する感光体との間の電界の作用により、前記静電潜像にトナーを供給し静電潜像を可視化することによりトナー像を形成する現像工程と、
前記トナー像を、中間転写体を介してまたは介さずに、転写材上に転写する転写工程と、
定着体とこの定着体に押圧された加圧体とにより形成されるニップ部に、前記転写材を通過させて、前記トナー像を前記転写材に加熱接触圧着させる定着工程とを有する画像形成方法であって、
前記定着体は、トナー像と接触する面において加圧体のみを接触部材として有しており、
前記定着工程において、定着体の長手方向における長さをＬとした時の定着体両端からＬ／６までの部分以外の位置に備えられた非接触型の温度検知手段を用いることにより、定着体の表面近傍の温度をこの定着体の表面温度として検知して定着体の温度を制御し、
前記トナーは、結着樹脂と着色剤と離型剤とを少なくとも含有するトナー粒子と、無機微粒子とを有し、１１０℃における貯蔵弾性率Ｇ’（１１０℃）が３．００×１０４〜８．００×１０５（ｄＮ／ｍ２）であり且つ１６０℃における貯蔵弾性率Ｇ’（１６０℃）が７．００×１０３〜３．００×１０５であり、
前記離型剤は、トナー１００質量部中に２〜２５質量部含有されていることを特徴とする画像形成方法。
【請求項２】
前記非接触型の温度検知手段は、定着体から放出される赤外線を検知する感熱素子と、雰囲気温度を検知する感熱素子とを有することを特徴とする請求項１記載の画像形成方法。
【請求項３】
前記帯電工程は接触帯電方式により帯電を行う工程であることを特徴とする請求項１または２記載の画像形成方法。
【請求項４】
前記現像工程は、直流成分に交流成分を重畳させた振動電界を印加して現像を行う工程
であることを特徴とする請求項１〜３のいずれか一項に記載の画像形成方法。
【請求項５】
前記各工程が繰り返されることによって画像形成が行われ、前記転写工程後に感光体表面に残留した転写残トナーを正規極性に帯電処理する帯電量制御工程をさらに有し、この帯電量制御工程を経た後に前記帯電工程が行われ、前記現像工程において前記転写残トナーが回収されることを特徴とする請求項１〜４のいずれか一項に記載の画像形成方法。
【請求項６】
前記転写工程において、接触帯電により感光体上のトナー像が前記転写材に転写されることを特徴とする請求項１〜５のいずれか一項に記載の画像形成方法。
【請求項７】
前記トナーの１１０℃における貯蔵弾性率Ｇ’（１１０℃）が５．００×１０４〜５．００×１０５ｄＮ／ｍ２であり且つ１６０℃における貯蔵弾性率Ｇ’（１６０℃）が１．００×１０４〜１．００×１０５ｄＮ／ｍ２であることを特徴とする請求項１〜６のいずれか一項に記載の画像形成方法。
【請求項８】
前記離型剤がトナー中に４〜２０質量部含有されることを特徴とする請求項１〜７のいずれか一項に記載の画像形成方法。
【請求項９】
前記トナーの数平均分子量が５０００〜５万であることを特徴とする請求項１〜８のいずれか一項に記載の画像形成方法。
【請求項１０】
前記トナーの数平均分子量が１．５万〜２．５万であることを特徴とする請求項１〜９のいずれか一項に記載の画像形成方法。
【請求項１１】
前記トナーの重量平均分子量が７万〜１００万であることを特徴とする請求項１〜１０のいずれか一項に記載の画像形成方法。
【請求項１２】
前記トナーの重量平均分子量が１０万〜４５万であることを特徴とする請求項１〜１１のいずれか一項に記載の画像形成方法。
【請求項１３】
前記離型剤の熱天秤測定における加熱時の重量減少開始温度が１００℃以上であることを特徴とする請求項１〜１２のいずれか一項に記載の画像形成方法。
【請求項１４】
前記離型剤の熱天秤測定における加熱時の重量減少開始温度が１５０℃以上であることを特徴とする請求項１〜１３のいずれか一項に記載の画像形成方法。
【請求項１５】
前記離型剤の示差走査熱量測定における吸熱ピークの半値幅が１５℃以下であることを特徴とする請求項１〜１４のいずれか一項に記載の画像形成方法。
【請求項１６】
前記離型剤の示差走査熱量測定における吸熱ピークの半値幅が７℃以下であることを特徴とする請求項１〜１５のいずれか一項に記載の画像形成方法。
【請求項１７】
前記離型剤の示差走査熱量測定により得られる吸熱曲線の吸熱ピーク値が、５０〜１５０℃であることを特徴とする請求項１〜１６のいずれか一項に記載の画像形成方法。
【請求項１８】
前記離型剤の示差走査熱量測定により得られる吸熱曲線の吸熱ピーク値が、６０〜１２０℃であることを特徴とする請求項１〜１７のいずれか一項に記載の画像形成方法。
【請求項１９】
前記離型剤の重量平均分子量が３００〜１，５００であることを特徴とする請求項１〜１８のいずれか一項に記載の画像形成方法。
【請求項２０】
前記離型剤の重量平均分子量が４００〜１，２５０であることを特徴とする請求項１〜１９のいずれか一項に記載の画像形成方法。
【請求項２１】
前記離型剤の針入度が１５度以下であることを特徴とする請求項１〜２０のいずれか一項に記載の画像形成方法。
【請求項２２】
前記離型剤の針入度が８度以下であることを特徴とする請求項１〜２１のいずれか一項に記載の画像形成方法。
【請求項２３】
前記現像剤がトナーとキャリアとからなる二成分現像剤であることを特徴とする請求項１〜２２のいずれか一項に記載の画像形成方法。
【請求項２４】
前記キャリアは、１０００／４π［ｋＡ／ｍ］における磁化の強さが、３０〜６０Ａｍ２／ｋｇであることを特徴とする請求項２３記載の画像形成方法。
【請求項２５】
前記キャリアは見かけ密度が２．３ｇ／ｃｍ３以下であることを特徴とする請求項２３または２４記載の画像形成方法。
【請求項２６】
前記キャリアは平均粒径が２５〜５５μｍであることを特徴とする請求項２３〜２５のいずれか一項に記載の画像形成方法。
【請求項２７】
前記キャリアは形状係数ＳＦ−１が１００〜１３０であることを特徴とする請求項２３〜２６のいずれか一項に記載の画像形成方法。
【請求項２８】
前記キャリアは比抵抗が１×１０８〜１×１０１６Ω・ｃｍであることを特徴とする請求項２３〜２７のいずれか一項に記載の画像形成方法。
【請求項２９】
前記キャリアが磁性体分散型樹脂キャリアであることを特徴とする請求項２３〜２８のいずれか一項に記載の画像形成方法。
【請求項３０】
前記トナーは、少なくともイエロー系着色剤を含有するイエロートナーと、少なくともマゼンタ系着色剤を含有するマゼンタトナーと、少なくともシアン系着色剤を含有するシアントナーと、少なくとも黒色系着色剤を含有するブラックトナーとを含み、フルカラー画像を形成することを特徴とする請求項１〜２９のいずれか一項に記載の画像形成方法。
【請求項３１】
結着樹脂と着色剤と離型剤とを少なくとも含有するトナー粒子と、無機微粒子とを有し、
１１０℃における貯蔵弾性率Ｇ’（１１０℃）が３．００×１０４〜８．００×１０５ｄＮ／ｍ２であり且つ１６０℃における貯蔵弾性率Ｇ’（１６０℃）が７．００×１０３〜３．００×１０５ｄＮ／ｍ２であるトナーであって、
前記離型剤は、トナー１００質量部中に２〜２５質量部含有されており、
前記トナーは、（Ｉ）感光体表面を帯電させる帯電工程と、（ＩＩ）前記帯電された感光体表面に静電潜像を形成する潜像形成工程と、（ＩＩＩ）現像ユニット中のトナーを含む現像剤を担持する担持体と前記静電潜像を担持する感光体との間の電界の作用により、前記静電潜像にトナーを供給し静電潜像を可視化することによりトナー像を形成する現像工程と、（ＩＶ）前記トナー像を、中間転写体を介してまたは介さずに、転写材上に転写する転写工程と、（Ｖ）定着体とこの定着体に押圧された加圧体とにより形成されるニップ部に、前記転写材を通過させて、前記トナー像を前記転写材に加熱接触圧着させる定着工程とを有する画像形成方法であって、該定着体は、トナー像と接触する面において加圧
体のみを接触部材として有しており、該定着工程において、定着体の長手方向における長さをＬとした時の定着体両端からＬ／６までの部分以外の位置に備えられた非接触型の温度検知手段を用いることにより、定着体の表面近傍の温度をこの定着体の表面温度として検知して定着体の温度を制御する画像形成方法に使用されるためのものであることを特徴とするトナー。
【請求項３２】
請求項３１に記載のトナーと、キャリアとからなる二成分現像剤。